(57)【特許請求の範囲】
【請求項１】
各種の情報を切り替え表示する表示手段と、記憶手段に記憶したエンジン回転数の読み出しを指令する人為操作式の指令手段と、前記指令手段の操作に基づいて、前記記憶手段に記憶したエンジン回転数がエンジンの出力回転数として得られるように前記出力回転数を制御する定回転制御を実行する制御手段とを備えた作業車のエンジン回転数制御構造であって、
前記制御手段は、人為操作式のアクセル操作具の操作位置を検出する検出手段の出力に基づいて、前記検出手段の出力に対応するエンジン回転数が前記出力回転数として得られるように前記出力回転数を制御するアクセル制御を実行可能であり、そのアクセル制御を行う場合には、前記表示手段の表示状態について、前記記憶手段から読み出したエンジン回転数である定回転制御での目標回転数を表示する表示状態とは異なる表示状態に切り替え、
前記制御手段は、前記アクセル制御の実行中に、前記指令手段が操作されると、その指令手段の出力に基づいて、前記表示手段の表示状態について、前記異なる表示状態から、前記記憶手段から読み出したエンジン回転数である定回転制御での目標回転数を表示する表示状態に切り替え、その表示手段の表示状態の切り替え後に前記定回転制御を開始するように構成してあることを特徴とする作業車のエンジン回転数制御構造。
【請求項２】
前記指令手段をモーメンタリスイッチで構成し、
前記制御手段が、前記モーメンタリスイッチの押し操作に基づいて、前記記憶手段から読み出したエンジン回転数である定回転制御での目標回転数を表示する表示状態に前記表示手段の表示状態を切り替え、前記モーメンタリスイッチの初期位置への復帰に基づいて前記定回転制御を開始するように構成してあることを特徴とする請求項１に記載の作業車のエンジン回転数制御構造。
【請求項３】
前記指令手段を２つのモーメンタリスイッチで構成し、
前記記憶手段に、前記２つのモーメンタリスイッチに対応する２つのエンジン回転数を記憶し、
前記制御手段が、前記２つのモーメンタリスイッチのうちのいずれか一方が押し操作されると、その操作に基づいて、押し操作された一方のモーメンタリスイッチに対応するエンジン回転数を前記記憶手段から読み出すとともに、その読み出したエンジン回転数である定回転制御での目標回転数と、その定回転制御での目標回転数が前記一方のモーメンタリスイッチに対応するものであることを示す識別記号とを前記表示手段により表示する表示状態に切り替え、前記一方のモーメンタリスイッチの初期位置への復帰に基づいて、前記一方のモーメンタリスイッチに対応するエンジン回転数を制御目標にして前記定回転制御を開始するように構成してあることを特徴とする請求項１に記載の作業車のエンジン回転数制御構造。
【発明の詳細な説明】
【技術分野】
【０００１】
本発明は、各種の情報を切り替え表示する表示手段と、記憶手段に記憶したエンジン回転数の読み出しを指令する人為操作式の指令手段と、前記指令手段の操作に基づいて、前記記憶手段に記憶したエンジン回転数がエンジンの出力回転数として得られるように前記出力回転数を制御する定回転制御を実行する制御手段とを備えた作業車のエンジン回転数制御構造に関する。
【背景技術】
【０００２】
トラクタや乗用田植機などの作業車においては、エンジンの出力回転数を表示するタコメータを表示パネルに装備してある。そのため、上記のような作業車のエンジン回転数制御構造においては、走行中に、記憶手段に記憶したエンジン回転数を表示パネルなどにおいて表示することは考えられていなかった（例えば特許文献１参照）。
【先行技術文献】
【特許文献】
【０００３】
【特許文献１】特開平１−１９５９３３号公報
【発明の概要】
【発明が解決しようとする課題】
【０００４】
上記の構成によると、指令手段の操作に基づいて制御手段が定回転制御を開始した場合、先ず、その開始に伴って変動するエンジン回転数がタコメータにより表示され、その後、タコメータにより表示されるエンジン回転数が一定になることにより、記憶手段に記憶したエンジン回転数が表示されることになる。つまり、定回転制御によって実際に車体の定速走行状態が得られるまで、定回転制御での制御目標となる記憶手段に記憶したエンジン回転数を運転者に視認させることができなかった。
【０００５】
本発明の目的は、定回転制御によって実際に車体の定速走行状態が得られるまでの間において、定回転制御での制御目標となる記憶手段に記憶したエンジン回転数を運転者に視認させることができるようにすることにある。
【課題を解決するための手段】
【０００６】
上記の目的を達成するため、本発明の特徴構成は、
各種の情報を切り替え表示する表示手段と、記憶手段に記憶したエンジン回転数の読み出しを指令する人為操作式の指令手段と、前記指令手段の操作に基づいて、前記記憶手段に記憶したエンジン回転数がエンジンの出力回転数として得られるように前記出力回転数を制御する定回転制御を実行する制御手段とを備えた作業車のエンジン回転数制御構造であって、
前記制御手段は、人為操作式のアクセル操作具の操作位置を検出する検出手段の出力に基づいて、前記検出手段の出力に対応するエンジン回転数が前記出力回転数として得られるように前記出力回転数を制御するアクセル制御を実行可能であり、そのアクセル制御を行う場合には、前記表示手段の表示状態について、前記記憶手段から読み出したエンジン回転数である定回転制御での目標回転数を表示する表示状態とは異なる表示状態に切り替え、
前記制御手段は、前記アクセル制御の実行中に、前記指令手段が操作されると、その指令手段の出力に基づいて、前記表示手段の表示状態について、前記異なる表示状態から、前記記憶手段から読み出したエンジン回転数である定回転制御での目標回転数を表示する表示状態に切り替え、その表示手段の表示状態の切り替え後に前記定回転制御を開始するように構成してあることを特徴とする。
【０００７】
この特徴構成によると、記憶手段に記憶したエンジン回転数（以下、記憶回転数と称する）を表示する専用の表示部を設けることなく、定回転制御によってエンジンの出力回転数が変更される前の段階から、記憶回転数を表示手段により表示して運転者に視認させることができる。
【０００８】
また、指令手段の操作に基づいて、表示手段の表示状態が記憶回転数を表示する状態に切り替わることから、記憶回転数を常時表示する場合に比較して、記憶回転数を運転者に視認させやすくすることができる。
【０００９】
従って、記憶回転数を表示する専用の表示部を設けることによる構造の複雑化やコストの高騰などを招くことなく、定回転制御を開始する前の段階から、定回転制御での制御目標となる記憶回転数を運転者に視認させることができる。
【００１０】
【００１１】
【００１２】
【００１３】
【００１４】
【００１５】
【００１６】
【００１７】
【００１８】
【００１９】
【００２０】
【００２１】
本発明の更なる特徴構成は、
前記指令手段をモーメンタリスイッチで構成し、
前記制御手段が、前記モーメンタリスイッチの押し操作に基づいて、前記記憶手段から読み出したエンジン回転数を前記表示手段により表示し、前記モーメンタリスイッチの初期位置への復帰に基づいて前記定回転制御を開始するように構成してあることを特徴とする。
【００２２】
この特徴構成によると、記憶手段から読み出したエンジン回転数を表示手段により表示してから定回転制御を開始するまでを計時することなく、モーメンタリスイッチの作動によって、定回転制御によってエンジンの出力回転数が変更される前の段階で、記憶手段に記憶したエンジン回転数を表示手段により表示して運転者に視認させることができる。
【００２３】
従って、制御構成の簡素化を図ることができる。
【００２４】
本発明の更なる特徴構成は、
前記指令手段を２つのモーメンタリスイッチで構成し、
前記記憶手段に、前記２つのモーメンタリスイッチに対応する２つのエンジン回転数を記憶し、
前記制御手段が、前記２つのモーメンタリスイッチのうちのいずれか一方が押し操作されると、その操作に基づいて、押し操作された一方のモーメンタリスイッチに対応するエンジン回転数を前記記憶手段から読み出すとともに、その読み出したエンジン回転数と、そのエンジン回転数が前記一方のモーメンタリスイッチに対応するものであることを示す識別記号とを前記表示手段により表示し、前記一方のモーメンタリスイッチの初期位置への復帰に基づいて、前記一方のモーメンタリスイッチに対応するエンジン回転数を制御目標にして前記定回転制御を開始するように構成してあることを特徴とする。
【００２５】
この特徴構成によると、定回転制御を開始する際に２種類のエンジン回転数を選択することができるとともに、定回転制御を開始する前の段階で、選択したエンジン回転数を表示手段により表示して運転者に視認させることができる。
【００２６】
従って、定回転制御の汎用性を高めることができるとともに、記憶手段に記憶したエンジン回転数を選択する際の操作性の向上を図ることができる。
【００２７】
【００２８】
【図面の簡単な説明】
【００２９】
【図１】トラクタの全体側面図
【図２】制御構成を示すブロック図
【図３】液晶表示部での表示内容の切り替えを示す図
【発明を実施するための形態】
【００３０】
以下、本発明を実施するための最良の形態の一例として、本発明に係る作業車のエンジン回転数制御構造を、作業車の一例であるトラクタに適用した実施形態を図面に基づいて説明する。
【００３１】
図１はトラクタの全体側面図である。このトラクタは、その前部にエンジン１を搭載してある。エンジン１が出力する回転動力は、その回転動力を断続するクラッチ（図示せず）や、フレーム兼用のトランスミッションケース２に内蔵した変速装置（図示せず）などを介して左右一対の前輪３と後輪４、および、トランスミッションケース２の後部から後方に向けて突設した動力取出軸５に伝達する。トラクタの後部には、前輪操舵用のステアリングホイール６や運転座席７などを配備して搭乗運転部８を形成し、搭乗運転部８を覆うキャビン９を装備してある。
【００３２】
図２に示すように、エンジン１には、燃料の噴射量や噴射タイミングを電子制御するコモンレール式の燃料噴射装置１０を備えている。燃料噴射装置１０は、燃料タンク１１に貯留した燃料を圧送するサプライポンプ１２、圧送した燃料を蓄圧するコモンレール１３、蓄圧した燃料を燃料室（図示せず）に噴射する複数のインジェクタ１４、コモンレール１３の内圧を検出する圧力センサ１５、および、圧力センサ１５などの出力に基づいてサプライポンプ１２や各インジェクタ１４などの作動を制御するエンジンコントロールユニット（以下、ＥＣＵと略称する）１６、などを備えて構成してある。
【００３３】
図１に示すように、トランスミッションケース２の後部には、左右一対のリフトアーム１７と作業装置連結用のリンク機構１８、および、左右のリフトアーム１７を上下方向に揺動駆動する左右一対のリフトシリンダ１９、などを装備してある。これにより、ロータリ耕耘装置やプラウなどの各種の作業装置（図示せず）を、作業内容に応じて、昇降可能または昇降可能かつローリング可能に付け替え装備することができる。
【００３４】
左右のリフトシリンダ１９には単動型の油圧シリンダを採用してある。左右のリフトシリンダ１９は、それらに対する作動油の流れが電磁制御弁２０の作動で制御されることにより伸縮作動する。
【００３５】
図２に示すように、このトラクタにはマイクロコンピュータからなる制御装置２１を搭載してある。制御装置２１には、作業装置の昇降を制御する昇降制御手段２１Ａを制御プログラムとして備えてある。
【００３６】
昇降制御手段２１Ａは、作業装置を任意の高さ位置に位置させるポジション制御や、作業装置を上限位置まで強制上昇させる強制上昇制御、などを実行するように構成してある。
【００３７】
ポジション制御では、第１昇降レバー２２の操作位置を検出する第１レバーセンサ２３の出力と、リフトアーム１７の上下揺動角度を検出するリフトアームセンサ２４の出力と、それらの出力を対応させた昇降用のマップデータとに基づいて、リフトアームセンサ２４の出力が第１レバーセンサ２３の出力に対応する（第１レバーセンサ２３の出力の不感帯幅内に収まる）ように、電磁制御弁２０の作動を制御して左右のリフトシリンダ１９を伸縮作動させる。
【００３８】
強制上昇制御は、第２昇降レバー２５の操作を検出する第２レバーセンサ２６が、第２昇降レバー２５の中立位置から上方への操作を検出した場合に、他の昇降制御に優先して実行する。強制上昇制御では、リフトアームセンサ２４の出力と予め設定した昇降上限値とに基づいて、リフトアームセンサ２４の出力が昇降上限値に対応する（昇降上限値の不感帯幅内に収まる）ように、電磁制御弁２０の作動を制御して左右のリフトシリンダ１９を伸長作動させる。この強制上昇後に第２レバーセンサ２６が第２昇降レバー２５の中立位置から下方への操作を検出すると、第１レバーセンサ２３の出力と、リフトアームセンサ２４の出力と、昇降用のマップデータとに基づいて、リフトアームセンサ２４の出力が第１レバーセンサ２３の出力に対応する（第１レバーセンサ２３の出力の不感帯幅内に収まる）ように、電磁制御弁２０の作動を制御して左右のリフトシリンダ１９を収縮作動させ、その後、強制上昇制御を終了する。
【００３９】
昇降用のマップデータは、第１レバーセンサ２３の出力を作業装置の目標高さ位置とし、リフトアームセンサ２４の出力を作業装置の実高さ位置として、それらの出力を対応させてある。
【００４０】
つまり、第１昇降レバー２２の操作に基づいて昇降制御手段２１Ａが任意昇降制御を実行することにより、第１昇降レバー２２の操作位置に対応する任意の高さ位置まで作業装置を昇降させることができる。
【００４１】
また、第２昇降レバー２５の操作に基づいて昇降制御手段２１Ａが強制上昇制御を実行することにより、予め設定した昇降上限値に対応する昇降上限位置まで作業装置を自動上昇させることができるとともに、第１昇降レバー２２の操作位置に対応する任意の高さ位置まで作業装置を自動下降させることができる。
【００４２】
これにより、例えば、トラクタの後部にロータリ耕耘装置などの作業装置を連結して耕耘作業を行う場合には、第１昇降レバー２２の操作により、所望の耕深が得られるように作業装置の高さ位置を任意に設定して耕耘作業を行い、この耕耘作業中に畦際で車体を方向転換させる枕地旋回を開始する際には、第２昇降レバー２５を上方に向けて操作することにより、作業装置を上限位置まで簡単に上昇させることができる。その結果、作業装置が接地しながら旋回することに起因して旋回内側が掘れる、といった不都合の発生を容易に回避することができる。また、枕地旋回の終了直前に第２昇降レバー２５を下方に向けて操作することにより、第１昇降レバー２２の操作で設定した任意の作業高さ位置まで作業装置を簡単に下降させることができる。その結果、枕地旋回の終了とともに耕耘作業を再開させることができる。
【００４３】
第１昇降レバー２２は、前後揺動式の位置保持型で運転座席７の右側方に配備してある。第２昇降レバー２５は、上下揺動式の中立復帰型でステアリングホイール６の右下方に配備してある。第１レバーセンサ２３およびリフトアームセンサ２４には回転式のポテンショメータを採用してある。第２レバーセンサ２６には、第２昇降レバー２５の上方への操作に連動して閉操作される第１接点と、第２昇降レバー２５の下方への操作に連動して閉操作される第２接点とを備えたスイッチを採用してある。
【００４４】
制御装置２１には、エンジン１の出力回転数を検出する電磁ピックアップ式の回転センサ２７などの出力に基づいて、エンジン１の出力回転数などの情報を、搭乗運転部８に備えた表示パネル２８のタコメータ（図示せず）などにより表示させる表示制御手段２１Ｂを制御プログラムとして備えてある。表示制御手段２１Ｂは、表示パネル２８の近傍に配備した表示切替スイッチ２９の操作などに基づいて、表示パネル２８に備えた液晶表示部（表示手段の一例）３０の表示状態を、アワーメータや燃料の残量などを表示する状態や、変速段数や車速などの車速に関する情報を表示する状態、などに切り替える。
【００４５】
制御装置２１には、エンジン１の目標回転数を設定する目標回転数設定手段２１Ｃを制御プログラムとして備えてある。また、アクセルペダル（アクセル操作具の一例）３１の操作位置を検出するペダルセンサ（検出手段の一例）３２の出力とエンジン回転数とを対応させた第１マップデータ、アクセルレバー（アクセル操作具の一例）３３の操作位置を検出するレバーセンサ（検出手段の一例）３４の出力とエンジン回転数とを対応させた第２マップデータ、および、エンジン回転数の上限を設定する上限設定器（上限設定手段の一例）３５の出力とエンジン回転数とを対応させた第３マップデータ、などを備えてある。
【００４６】
目標回転数設定手段２１Ｃは、ペダルセンサ３２の出力と第１マップデータとに基づいてペダルセンサ３２の出力に対応するエンジン回転数（以下、ペダル設定回転数と称する）を選定する。レバーセンサ３４の出力と第２マップデータとに基づいてレバーセンサ３４の出力に対応するエンジン回転数（以下、レバー設定回転数と称する）を選定する。上限設定器３５の出力と第３マップデータとに基づいて上限設定器３５の出力に対応するエンジン回転数（以下、上限回転数と称する）を選定する。
【００４７】
そして、選定したそれらの回転数を比較し、ペダル設定回転数およびレバー設定回転数が上限回転数よりも低い場合には、ペダル設定回転数とレバー設定回転数のうちの高い側の回転数を目標回転数に設定する。ペダル設定回転数およびレバー設定回転数のうちのいずれか一方が上限回転数よりも高い場合には、上限回転数を目標回転数に設定する。
【００４８】
アクセルペダル３１は、踏み込み操作式の初期位置復帰型で搭乗運転部８の右足元部に配備してある。アクセルレバー３３は、前後揺動式の位置保持型で運転座席７の右側方に配備してある。上限設定器３５は、回転式のポテンショメータなどによりダイヤル式に構成してある。
【００４９】
ＥＣＵ１６には、制御装置２１の目標回転数設定手段２１Ｃにより設定した目標回転数や、制御装置２１を経由して入力された回転センサ２７の出力などに基づいて、目標回転数がエンジン１の出力回転数として得られるようにサプライポンプ１２や各インジェクタ１４などの作動を制御する燃料噴射制御手段１６Ａを制御プログラムとして備えてある。
【００５０】
そして、制御装置２１の目標回転数設定手段２１ＣとＥＣＵ１６の燃料噴射制御手段１６Ａにより、エンジン１の出力回転数を制御するエンジン回転数制御手段（制御手段の一例）３６を構成してある。
【００５１】
エンジン回転数制御手段３６は、ペダル設定回転数およびレバー設定回転数が上限回転数よりも低い状態において、ペダル設定回転数がレバー設定回転数よりも高い場合には、ペダル設定回転数を目標回転数に設定し、そのペダル設定回転数がエンジン１の出力回転数として得られるようにエンジン１の出力回転数を制御するフットアクセル制御を実行する。逆に、レバー設定回転数がペダル設定回転数よりも高い場合には、レバー設定回転数を目標回転数に設定し、そのレバー設定回転数がエンジン１の出力回転数として得られるようにエンジン１の出力回転数を制御するハンドアクセル制御を実行する。また、ペダル設定回転数およびレバー設定回転数のうちのいずれか一方が上限回転数よりも高い場合には、上限回転数を目標回転数に設定し、その上限回転数がエンジン１の出力回転数として得られるようにエンジン１の出力回転数を制御する上限回転制御を実行する。
【００５２】
この構成により、例えば、アクセルレバー３３を任意の操作位置に操作し、かつ、レバー設定回転数よりも上限回転数が低くならないように上限設定器３５を操作することにより、エンジン１の出力回転数をレバー設定回転数に維持するレバー定速状態で車体を走行させることができる。このレバー定速状態において、ペダル設定回転数がレバー設定回転数よりも高くなるようにアクセルペダル３１を操作することにより、その操作を行なっている間、エンジン１の出力回転数をレバー設定回転数からペダル設定回転数に上昇させたペダル増速状態で車体を走行させることができる。このペダル増速状態において、ペダル設定回転数が上限回転数よりも高くなると、エンジン１の出力回転数を上限回転数に制限する上限定速状態で車体を走行させることができる。そして、アクセルペダル３１の操作を解除することによりレバー定速状態に簡単に復帰させることができる。
【００５３】
つまり、レバー定速状態と上限定速状態との高低２段の定速状態を得ることができるとともに、レバー定速状態と上限定速状態とにわたる任意の変速操作を行うことができる。
【００５４】
また、レバー定速状態において、レバー設定回転数よりも上限回転数が低くなるように上限設定器３５を操作することにより、レバー定速状態よりも回転数の低い上限定速状態で車体を走行させることができる。そして、この上限定速状態において、レバー設定回転数よりも上限回転数が高くなるように上限設定器３５を操作することにより、レバー定速状態に簡単に復帰させることができる。
【００５５】
つまり、レバー設定回転数を基準にした上限設定器３５の操作による定速回転数の微調整を行うことができる。その結果、圃場の状況などに応じた定速回転数の設定変更を容易に行える。
【００５６】
さらに、例えば、アクセルレバー３３をアイドリング位置に操作し、かつ、上限回転数が作業に適したエンジン回転数になるように上限設定器３５を操作すれば、アクセルペダル３１を操作限界位置まで操作することにより、エンジン１の出力回転数を作業に適した上限回転数に維持する上限定速状態で車体を走行させることができる。この上限定速状態において、ペダル設定回転数が上限回転数よりも低くなるようにアクセルペダル３１の操作を緩めることにより、エンジン１の出力回転数を上限回転数よりも低くしたペダル減速状態で車体を走行させることができる。このペダル減速状態において、再びアクセルペダル３１を操作限界位置まで操作することにより上限定速状態に復帰させることができる。
【００５７】
このように、上限回転数が作業に適したエンジン回転数になるように上限設定器３５を操作すれば、作業中の直進走行時には、アクセルペダル３１を操作限界位置まで操作することにより、圃場の荒れ具合などに起因した車体の揺れに関係なく、アクセルペダル３１の操作による作業に適した定速状態を安定して得ることができる。そして、枕地旋回を行なう場合には、枕地旋回を開始する前にアクセルペダル３１の操作を緩めることにより、枕地旋回に適した減速状態を容易に得ることができる。また、定速状態においてスリップが発生した場合には、アクセルペダル３１の操作を緩めてエンジン回転数を低下させることにより、スリップの度合いを弱めてグリップ力を上げることができ、スリップ状態から容易に脱出することができる。そして、枕地旋回後またはスリップ状態からの脱出後にアクセルペダル３１を操作限界位置まで操作することにより、作業に適した定速状態を容易に再現することができる。
【００５８】
つまり、直進走行と枕地旋回とを繰り返す往復作業に適した走行状態や、スリップが発生しやすいプラウやサブソイラなどの作業装置を連結した重牽引作業に適した走行状態を簡単に得ることができる。
【００５９】
制御装置２１には、運転座席７の右側方に配備したモーメンタリスイッチからなる第１スイッチ３７の操作に基づいて読み出される第１記憶回転数と、第１スイッチ３７に隣接配備したモーメンタリスイッチからなる第２スイッチ３８の操作に基づいて読み出される第２記憶回転数とを備えてある。
【００６０】
目標回転数設定手段２１Ｃは、基本的には、エンジン１の出力回転数がアイドリング回転数よりも高くなる操作位置にアクセルレバー３３を操作したレバー定速状態において、第１スイッチ３７が操作されると、第１スイッチ３７の出力に基づいて第１記憶回転数を目標回転数に設定する。第１記憶回転数を目標回転数に設定した状態において、第１スイッチ３７が操作されると、第１スイッチ３７が初期位置に復帰するまでの時間を計測し、その計測時間が設定時間以内（例えば３秒以内）であれば、そのときの第１スイッチ３７の出力に基づいて、ペダル設定回転数とレバー設定回転数と上限回転数とを比較し、ペダル設定回転数およびレバー設定回転数が上限回転数よりも低い場合には、ペダル設定回転数とレバー設定回転数のうちの高い側の回転数を目標回転数に設定する。ペダル設定回転数およびレバー設定回転数のうちのいずれか一方が上限回転数よりも高い場合には、上限回転数を目標回転数に設定する。
【００６１】
また、エンジン１の出力回転数がアイドリング回転数よりも高くなる操作位置にアクセルレバー３３を操作したレバー定速状態において、第２スイッチ３８が操作されると、第２スイッチ３８の出力に基づいて第２記憶回転数を目標回転数に設定する。第２記憶回転数を目標回転数に設定した状態において、第２スイッチ３８が操作されると、第２スイッチ３８が初期位置に復帰するまでの時間を計測し、その計測時間が設定時間以内（例えば３秒以内）であれば、そのときの第２スイッチ３８の出力に基づいて、ペダル設定回転数とレバー設定回転数と上限回転数とを比較し、ペダル設定回転数およびレバー設定回転数が上限回転数よりも低い場合には、ペダル設定回転数とレバー設定回転数のうちの高い側の回転数を目標回転数に設定する。ペダル設定回転数およびレバー設定回転数のうちのいずれか一方が上限回転数よりも高い場合には、上限回転数を目標回転数に設定する。
【００６２】
つまり、エンジン回転数制御手段３６は、レバー定速状態において第１スイッチ３７が操作されると、第１記憶回転数を目標回転数に設定し、その第１記憶回転数がエンジン１の出力回転数として得られるようにエンジン１の出力回転数を制御する第１定回転制御を実行する。レバー定速状態において第２スイッチ３８が操作されると、第２記憶回転数を目標回転数に設定し、その第２記憶回転数がエンジン１の出力回転数として得られるようにエンジン１の出力回転数を制御する第２定回転制御を実行する。
【００６３】
また、第１定回転制御の実行中に、第１スイッチ３７が初期位置に復帰するまでの計測時間が設定時間以内となる第１スイッチ３７の短押し操作が行われた場合には、第１定回転制御を終了するとともに、そのときの操作状態に応じて設定した目標回転数に基づいてフットアクセル制御とハンドアクセル制御と上限回転制御のいずれかを実行する。第２定回転制御の実行中に、第２スイッチ３８が初期位置に復帰するまでの計測時間が設定時間以内となる第２スイッチ３８の短押し操作が行われた場合には、第２定回転制御を終了するとともに、そのときの操作状態に応じて設定した目標回転数に基づいてフットアクセル制御とハンドアクセル制御と上限回転制御のいずれかを実行する。
【００６４】
この構成により、例えば、第１記憶回転数を耕耘作業に適したエンジン回転数に設定し、第２記憶回転数を代掻き作業に適したエンジン回転数に設定すれば、エンジン１の出力回転数がアイドリング回転数よりも高くなる操作位置にアクセルレバー３３を操作した後に、第１スイッチ３７を操作することにより、エンジン１の出力回転数を耕耘作業に適した第１記憶回転数に維持する定速状態（以下、第１記憶定速状態と称する）で車体を走行させることができる。また、エンジン１の出力回転数がアイドリング回転数よりも高くなる操作位置にアクセルレバー３３を操作した後に、第２スイッチ３８を操作することにより、エンジン１の出力回転数を代掻き作業に適した第２記憶回転数に維持する定速状態（以下、第２記憶定速状態と称する）で車体を走行させることができる。
【００６５】
そして、レバー設定回転数が枕地旋回に適したエンジン回転数になるようにアクセルレバー３３を操作しておけば、第１記憶定速状態においては、枕地旋回を開始する前に第１スイッチ３７を短押し操作することにより、枕地旋回に適したアクセルレバー３３による減速状態（以下、レバー減速状態と称する）を容易に得ることができ、枕地旋回の終了直前または枕地旋回の終了後に第１スイッチ３７を操作することにより、耕耘作業に適した第１記憶定速状態を容易に再現することができる。また、第２記憶定速状態においては、枕地旋回を開始する前に第２スイッチ３８を短押し操作することにより、レバー減速状態を容易に得ることができ、枕地旋回の終了直前または枕地旋回の終了後に第２スイッチ３８を操作することにより、代掻き作業に適した第２記憶定速状態を容易に再現することができる。
【００６６】
エンジン回転数制御手段３６は、第１定回転制御の実行中に第２スイッチ３８が操作されると、第１定回転制御から第２定回転制御に移行する。また、第２定回転制御の実行中に第１スイッチ３７が操作されると、第２定回転制御から第１定回転制御に移行する。
【００６７】
この構成により、例えば、第１記憶回転数を作業に適したエンジン回転数に設定し、第２記憶回転数を枕地旋回に適したエンジン回転数に設定すれば、エンジン１の出力回転数がアイドリング回転数よりも高くなる操作位置にアクセルレバー３３を操作した後に、第１スイッチ３７を操作することにより、作業に適した第１記憶定速状態で車体を走行させることができる。そして、枕地旋回を開始する前に第２スイッチ３８を操作することにより、枕地旋回に適した第２記憶定速状態を容易に得ることができ、枕地旋回の終了直前または枕地旋回の終了後に第１スイッチ３７を操作することにより、作業に適した第１記憶定速状態を容易に再現することができる。
【００６８】
エンジン回転数制御手段３６は、第１定回転制御の実行中にペダル設定回転数が第１記憶回転数よりも高くなると、第１定回転制御に優先してフットアクセル制御を実行する。そのフットアクセル制御の優先実行中に、ペダル設定回転数が第１記憶回転数よりも低くなると、フットアクセル制御を終了して第１定回転制御を再開する。また、第２定回転制御の実行中に、ペダル設定回転数が第２記憶回転数よりも高くなると、第２定回転制御に優先してフットアクセル制御を実行する。そのフットアクセル制御の優先実行中に、ペダル設定回転数が第２記憶回転数よりも低くなると、フットアクセル制御を終了して第２定回転制御を再開する。
【００６９】
この構成により、第１記憶定速状態において、ペダル設定回転数が第１記憶回転数よりも高くなるようにアクセルペダル３１を操作することにより、その操作を行なっている間、エンジン１の出力回転数を第１記憶回転数からペダル設定回転数に上昇させたペダル増速状態で車体を走行させることができる。このペダル増速状態において、ペダル設定回転数が上限回転数よりも高くなると、エンジン１の出力回転数を上限回転数に制限する上限定速状態で車体を走行させることができる。そして、アクセルペダル３１の操作を解除することにより第１記憶定速状態に復帰させることができる。
【００７０】
また、第２記憶定速状態において、ペダル設定回転数が第２記憶回転数よりも高くなるようにアクセルペダル３１を操作することにより、その操作を行なっている間、エンジン１の出力回転数を第２記憶回転数からペダル設定回転数に上昇させたペダル増速状態で車体を走行させることができる。このペダル増速状態において、ペダル設定回転数が上限回転数よりも高くなると、エンジン１の出力回転数を上限回転数に制限する上限定速状態で車体を走行させることができる。そして、アクセルペダル３１の操作を解除することにより第２記憶定速状態に復帰させることができる。
【００７１】
エンジン回転数制御手段３６は、第１定回転制御の実行中にレバー設定回転数がアイドリング回転数以下に低下すると、第１定回転制御を終了するとともに、そのときの操作状態に応じて設定した目標回転数に基づいてフットアクセル制御とハンドアクセル制御と上限回転制御のいずれかを実行する。また、第２定回転制御の実行中にレバー設定回転数がアイドリング回転数以下に低下すると、第２定回転制御を終了するとともに、そのときの操作状態に応じて設定した目標回転数に基づいてフットアクセル制御とハンドアクセル制御と上限回転制御のいずれかを実行する。
【００７２】
この構成により、エンジン１の出力回転数を第１記憶回転数または第２記憶回転数に維持する定速状態においては、レバー設定回転数がアイドリング回転数以下になるようにアクセルレバー３３を操作することにより、アクセルペダル３１を操作していない限り、エンジン１の出力回転数をアイドリング回転数以下に低下させた減速状態を得ることができる。
【００７３】
つまり、エンジン１の出力回転数を第１記憶回転数または第２記憶回転数に維持する記憶定速状態において、減速する必要が生じた場合には、レバー定速状態での減速操作と同様に、アクセルレバー３３を減速方向に操作する、といった慣れた操作で車速を低下させることができる。
【００７４】
エンジン回転数制御手段３６は、第１定回転制御の実行中にレバー設定回転数が第１記憶回転数よりも高くなると、第１定回転制御を終了するとともに、そのときの操作状態に応じて設定した目標回転数に基づいてフットアクセル制御とハンドアクセル制御と上限回転制御のいずれかを実行する。また、第２定回転制御の実行中にレバー設定回転数が第２記憶回転数よりも高くなると、第２定回転制御を終了するとともに、そのときの操作状態に応じて設定した目標回転数に基づいてフットアクセル制御とハンドアクセル制御と上限回転制御のいずれかを実行する。
【００７５】
この構成により、第１記憶定速状態において、レバー設定回転数が第１記憶回転数以下である場合には、レバー設定回転数が第１記憶回転数よりも高くなるようにアクセルレバー３３を操作することにより、エンジン１の出力回転数を第１記憶回転数よりも高いレバー設定回転数または上限回転数まで上昇させた増速状態で車体を走行させることができるとともに、その増速後の速度で車体を定速走行させることができる。
【００７６】
また、第２記憶定速状態において、レバー設定回転数が第２記憶回転数以下である場合には、レバー設定回転数が第２記憶回転数よりも高くなるようにアクセルレバー３３を操作することにより、エンジン１の出力回転数を第２記憶回転数よりも高いレバー設定回転数または上限回転数まで上昇させた増速状態で車体を走行させることができるとともに、その増速後の速度で車体を定速走行させることができる。
【００７７】
つまり、エンジン１の出力回転数を第１記憶回転数または第２記憶回転数に維持する定速状態において、増速する必要が生じた場合には、レバー定速状態での増速操作と同様に、アクセルレバー３３を増速方向に操作する、といった慣れた操作で車速を上昇させて維持することができる。
【００７８】
エンジン回転数制御手段３６は、第１定回転制御の実行中に上限回転数が第１記憶回転数よりも低くなると、第１定回転制御に優先して上限回転制御を実行する。その上限回転制御の優先実行中に、上限回転数が第１記憶回転数よりも高くなると、上限回転制御を終了して第１定回転制御を再開する。また、第２定回転制御の実行中に上限回転数が第２記憶回転数よりも低くなると、第２定回転制御に優先して上限回転制御を実行する。その上限回転制御の優先実行中に、上限回転数が第２記憶回転数よりも高くなると、上限回転制御を終了して第２定回転制御を再開する。
【００７９】
つまり、第１記憶定速状態において、第１記憶回転数よりも上限回転数が低くなるように上限設定器３５を操作することにより、第１記憶定速状態よりも回転数の低い上限定速状態で車体を走行させることができる。そして、この上限定速状態において、第１記憶回転数よりも上限回転数が高くなるように上限設定器３５を操作することにより、第１記憶定速状態に簡単に復帰させることができる。
【００８０】
また、第２記憶定速状態において、第２記憶回転数よりも上限回転数が低くなるように上限設定器３５を操作することにより、第２記憶定速状態よりも回転数の低い上限定速状態で車体を走行させることができる。そして、この上限定速状態において、第２記憶回転数よりも上限回転数が高くなるように上限設定器３５を操作することにより、第２記憶定速状態に簡単に復帰させることができる。
【００８１】
この構成により、第１記憶回転数または第２記憶回転数を基準にした上限設定器３５の操作による定速回転数の微調整を行うことができる。その結果、圃場の状況などに応じた第１記憶回転数または第２記憶回転数の設定変更を容易に行える。
【００８２】
しかも、第１記憶定速状態においてスリップが発生した場合には、上限回転数が第１記憶回転数よりも低くなるように上限設定器３５を操作することにより、また、第２記憶定速状態においてスリップが発生した場合には、上限回転数が第２記憶回転数よりも低くなるように上限設定器３５を操作することにより、スリップの度合いを弱めてグリップ力を上げることができ、スリップ状態から容易に脱出することができる。そして、スリップ状態からの脱出後に、第１記憶定速状態においては上限回転数が第１記憶回転数よりも高くなるように、また、第２記憶定速状態においては上限回転数が第２記憶回転数よりも高くなるように、上限設定器３５を操作することにより、エンジン１の出力回転数を第１記憶回転数または第２記憶回転数に維持する第１記憶定速状態または第２記憶定速状態に復帰させることができる。
【００８３】
エンジン回転数制御手段３６は、第１スイッチ３７または第２スイッチ３８の操作に基づいて、第１定回転制御または第２定回転制御からフットアクセル制御とハンドアクセル制御と上限回転制御のいずれかに移行することにより、エンジン１の出力回転数が上昇する場合には、第１スイッチ３７または第２スイッチ３８の操作に基づいてエンジン１の出力回転数を低下させる場合よりも、エンジン回転数の変化速度が小さくなるようにエンジン１の出力回転数を制御する。
【００８４】
これにより、エンジン１の出力回転数が上昇する場合の出力回転数の変化が、エンジン１の出力回転数が低下する場合よりも穏やかになる。その結果、エンジンの出力回転数を上昇させる増速走行時の速度の変化を、エンジンの出力回転数を低下させる減速走行時よりも滑らかにすることができ、増速走行時の乗り心地をさらに向上させることができる。
【００８５】
エンジン回転数制御手段３６は、第１定回転制御の実行中に、第１スイッチ３７が初期位置に復帰するまでの計測時間が設定時間を超える第１スイッチ３７の長押し操作が行われた場合には、そのときの第１スイッチ３７の出力に基づいて、第１定回転制御から第１記憶回転数の設定変更を可能にする第１記憶回転数変更制御に移行する。また、第２定回転制御の実行中に、第２スイッチ３８が初期位置に復帰するまでの計測時間が設定時間を超える第２スイッチ３８の長押し操作が行われた場合には、そのときの第２スイッチ３８の出力に基づいて、第２定回転制御から第２記憶回転数の設定変更を可能にする第２記憶回転数変更制御に移行する。
【００８６】
第１記憶回転数変更制御においては、第１スイッチ３７の短押し操作が行われると、そのときの第１スイッチ３７の出力に基づいて第１記憶回転数を一定回転数（例えば１０ｒｐｍ）だけ上昇させる。第２スイッチ３８の短押し操作が行われると、そのときの第２スイッチ３８の出力に基づいて第１記憶回転数を一定回転数（例えば１０ｒｐｍ）だけ低下させる。第１スイッチ３７の長押し操作が行われると、そのときの第１スイッチ３７の出力に基づいて、その出力が継続されている間（第１スイッチ３７の長押し操作が行われている間）、第１記憶回転数を連続して上昇させる。第２スイッチ３８の長押し操作が行われると、そのときの第２スイッチ１７の出力に基づいて、その出力が継続されている間（第２スイッチ３８の長押し操作が行われている間）、第１記憶回転数を連続して低下させる。そして、設定時間（例えば３秒間）の間、第１スイッチ３７の操作と第２スイッチ３８の操作のいずれも行われなかった場合には、その段階での回転数を第１記憶回転数として確定し、第１記憶回転数変更制御から第１定回転制御に移行する。
【００８７】
第２記憶回転数変更制御においては、第１スイッチ３７の短押し操作が行われると、そのときの第１スイッチ３７の出力に基づいて第２記憶回転数を一定回転数（例えば１０ｒｐｍ）だけ上昇させる。第２スイッチ３８の短押し操作が行われると、そのときの第２スイッチ３８の出力に基づいて第２記憶回転数を一定回転数（例えば１０ｒｐｍ）だけ低下させる。第１スイッチ３７の長押し操作が行われると、そのときの第１スイッチ３７の出力に基づいて、その出力が継続されている間（第１スイッチ３７の長押し操作が行われている間）、第２記憶回転数を連続して上昇させる。第２スイッチ３８の長押し操作が行われると、そのときの第２スイッチ１７の出力に基づいて、その出力が継続されている間（第２スイッチ３８の長押し操作が行われている間）、第２記憶回転数を連続して低下させる。そして、設定時間（例えば３秒間）の間、第１スイッチ３７の操作と第２スイッチ３８の操作のいずれも行われなかった場合には、その段階での回転数を第２記憶回転数として確定し、第２記憶回転数変更制御から第２定回転制御に移行する。
【００８８】
つまり、第１スイッチ３７および第２スイッチ３８を、第１定回転制御または第２定回転制御の実行を指令する指令手段、第１定回転制御から第１記憶回転数変更制御への移行、または、第２定回転制御から第２記憶回転数変更制御への移行を指令する指令手段、および、第１記憶回転数または第２記憶回転数を設定変更する設定手段として機能させることができる。これにより、それぞれに対応する操作具を設ける場合に比較して、コストの削減や設置スペースの縮小を図ることができる。
【００８９】
エンジン回転数制御手段３６は、キースイッチ３９をオン位置に操作した電源投入段階において、第１スイッチ３７の長押し操作が行われた場合には第１記憶回転数変更制御を実行し、第２スイッチ３８の長押し操作が行われた場合には第２記憶回転数変更制御を実行する。これにより、作業の開始前に第１記憶回転数および第２記憶回転数を作業などに応じて変更することができる。
【００９０】
図２および図３に示すように、エンジン回転数制御手段３６は、第１定回転制御の実行が可能な状態において第１スイッチ３７が操作されると、そのときの押し操作に伴って、表示制御手段２１Ｂに表示情報を送信し、液晶表示部３０において、第１記憶回転数（ここでは「１８００」を例示してある）と、第１記憶回転数であることを示す第１識別記号４０（ここでは「Ａ」を例示してある）と、第１定回転制御または第２定回転制御の実行を示す第２識別記号４１（ここでは「ＡＵＴＯ」を例示してある）とを連続表示させる〔図３の（Ａ）参照〕。そして、第１スイッチ３７の初期位置への復帰に伴って第１定回転制御を開始する。
【００９１】
また、第２定回転制御の実行が可能な状態において第２スイッチ３８が操作されると、そのときの押し操作に伴って、表示制御手段２１Ｂに表示情報を送信し、液晶表示部３０において、第２記憶回転数（ここでは「１０００」を例示してある）と、第２記憶回転数であることを示す第１識別記号４０（ここでは「Ｂ」を例示してある）と、第１定回転制御または第２定回転制御の実行を示す第２識別記号４１（ここでは「ＡＵＴＯ」）とを連続表示させる〔図３の（Ｂ）参照〕。そして、第２スイッチ３８の初期位置への復帰に伴って第２定回転制御を開始する。
【００９２】
つまり、第１記憶回転数や第２記憶回転数などを表示する専用の表示部を設けることなく、第１定回転制御または第２定回転制御の開始に伴ってエンジン１の出力回転数が変更される前の段階で、それらの定回転制御での目標回転数などを液晶表示部３０に表示して運転者に視認させることができる。また、第１スイッチ３７または第２スイッチ３８の操作に伴って、液晶表示部３０の表示状態が、第１定回転制御または第２定回転制御での目標回転数などを表示する状態に切り替わることから、第１定回転制御または第２定回転制御での目標回転数などを常時表示する場合に比較して、運転者に視認させやすくすることができる。
【００９３】
エンジン回転数制御手段３６は、エンジン１の出力回転数がアイドリング回転数以下になる操作位置にアクセルレバー３３が位置する状態において、第１スイッチ３７が操作されると、液晶表示部３０において、第１記憶回転数（ここでは「１８００」）と第１識別記号４０（ここでは「Ａ」）と第２識別記号４１（ここでは「ＡＵＴＯ」）とを間歇表示させる〔図３の（Ｃ）参照〕。
【００９４】
また、エンジン１の出力回転数がアイドリング回転数以下になる操作位置にアクセルレバー３３が位置する状態において、第２スイッチ３８が操作されると、液晶表示部３０において、第２記憶回転数（ここでは「１０００」）と第１識別記号４０（ここでは「Ｂ」）と第２識別記号４１（ここでは「ＡＵＴＯ」）とを間歇表示させる〔図３の（Ｄ）参照〕。
【００９５】
これにより、エンジン１の出力回転数がアイドリング回転数以下になる操作位置にアクセルレバー３３が位置することにより、第１スイッチ３７または第２スイッチ３８の操作にかかわらず、第１定回転制御または第２定回転制御が実行されないことを運転者に視認させることができる。
【００９６】
エンジン回転数制御手段３６は、第１記憶回転数を目標回転数に設定した第１定回転制御の実行中に第１スイッチ３７が短押し操作されると、そのときの押し操作に伴って、表示制御手段２１Ｂに表示情報を送信し、液晶表示部３０において、第１記憶回転数に代えて、第１定回転制御終了後の操作状態に応じて設定する目標回転数（ここでは「１５００」を例示してある）を連続表示させるとともに、第１識別記号４０の表示を終了させる〔図３の（Ａ）および（Ｅ）参照〕。そして、第１スイッチ３７の初期位置への復帰に伴って第１定回転制御を終了し、そのときの操作状態に応じたフットアクセル制御とハンドアクセル制御と上限回転制御のうちのいずれかを開始する。
【００９７】
また、第２記憶回転数を目標回転数に設定した第２定回転制御の実行中に第２スイッチ３８が短押し操作されると、そのときの押し操作に伴って、表示制御手段２１Ｂに表示情報を送信し、液晶表示部３０において、第２記憶回転数に代えて、第２定回転制御終了後の操作状態に応じて設定する目標回転数（ここでは「１５００」）を連続表示させるとともに、第１識別記号４０の表示を終了させる〔図３の（Ｂ）および（Ｅ）参照〕。そして、第２スイッチ３７の初期位置への復帰に伴って第２定回転制御を終了し、そのときの操作状態に応じたフットアクセル制御とハンドアクセル制御と上限回転制御のうちのいずれかを開始する。
【００９８】
つまり、第１定回転制御または第２定回転制御からフットアクセル制御とハンドアクセル制御と上限回転制御とのいずれかへの移行に伴ってエンジン１の出力回転数が変更される前の段階で、第１定回転制御または第２定回転制御の終了後の目標回転数を液晶表示部３０に表示して運転者に視認させることができる。
【００９９】
エンジン回転数制御手段３６は、第１定回転制御の実行中に第２スイッチ３８が操作されると、そのときの押し操作に伴って、表示制御手段２１Ｂに表示情報を送信し、液晶表示部３０において、第１記憶回転数（ここでは「１８００」）に代えて第２記憶回転数（ここでは「１０００」）を連続表示させ、第１識別記号４０を、第１記憶回転数を示すもの（ここでは「Ａ」）から第２記憶回転数を示すもの（ここでは「Ｂ」）に変更させる〔図３の（Ａ）および（Ｂ）参照〕。そして、第２スイッチ３８の初期位置への復帰に伴って第１定回転制御から第２定回転制御に移行する。
【０１００】
また、第２定回転制御の実行中に第１スイッチ３７が操作されると、そのときの押し操作に伴って、表示制御手段２１Ｂに表示情報を送信し、液晶表示部３０において、第２記憶回転数（ここでは「１０００」）に代えて第１記憶回転数（ここでは「１８００」）を連続表示させ、第１識別記号４０を、第２記憶回転数を示すもの（ここでは「Ｂ」）から第１記憶回転数を示すもの（ここでは「Ａ」）に変更させる〔図３の（Ｂ）および（Ａ）参照〕。そして、第１スイッチ３７の初期位置への復帰に伴って第２定回転制御から第１定回転制御に移行する。
【０１０１】
つまり、第１定回転制御から第２定回転制御または第２定回転制御から第１定回転制御への移行に伴ってエンジン１の出力回転数が変更される前の段階で、移行後の第１定回転制御または第２定回転制御での目標回転数を液晶表示部３０に表示して運転者に視認させることができる。
【０１０２】
エンジン回転数制御手段３６は、第１定回転制御の実行中にペダル設定回転数が第１記憶回転数よりも高くなると、第１定回転制御に優先してフットアクセル制御を実行するとともに、表示制御手段２１Ｂに表示情報を送信し、液晶表示部３０における第２識別記号４１（ここでは「ＡＵＴＯ」）の表示を連続表示から間歇表示に変更させる〔図３の（Ａ）および（Ｆ）参照〕。
【０１０３】
このフットアクセル制御の優先実行中にペダル設定回転数が第１記憶回転数よりも低くなると、フットアクセル制御を終了して第１定回転制御を再開するとともに、表示制御手段２１Ｂに表示情報を送信し、液晶表示部３０における第２識別記号４１（ここでは「ＡＵＴＯ」）の表示を間歇表示から連続表示に変更させる〔図３の（Ｆ）および（Ａ）参照〕。
【０１０４】
また、第２定回転制御の実行中にペダル設定回転数が第２記憶回転数よりも高くなると、第２定回転制御に優先してフットアクセル制御を実行するとともに、表示制御手段２１Ｂに表示情報を送信し、液晶表示部３０における第２識別記号４１（ここでは「ＡＵＴＯ」）の表示を連続表示から間歇表示に変更させる〔図３の（Ｂ）および（Ｇ）参照〕。
【０１０５】
このフットアクセル制御の優先実行中にペダル設定回転数が第２記憶回転数よりも低くなると、フットアクセル制御を終了して第２定回転制御を再開するとともに、表示制御手段２１Ｂに表示情報を送信し、液晶表示部３０における第２識別記号４１（ここでは「ＡＵＴＯ」）の表示を間歇表示から連続表示に変更させる〔図３の（Ｇ）および（Ｂ）参照〕。
【０１０６】
つまり、第１定回転制御または第２定回転制御の実行中におけるアクセルペダル３１の操作により第１定回転制御または第２定回転制御からフットアクセル制御に移行する場合には、液晶表示部３０において、第１記憶回転数または第２記憶回転数とそれを示す第１識別記号４０とを連続表示させながら、第２識別記号４１を間歇表示させることにより、第１定回転制御または第２定回転制御からフットアクセル制御への移行を運転者に視認させることができる。また、フットアクセル制御の優先実行中におけるアクセルペダル３１の操作により第１定回転制御または第２定回転制御を再開する場合には、液晶表示部３０において、第１記憶回転数または第２記憶回転数とそれらに対応する第１識別記号４０と第２識別記号４１とを連続表示させることにより、第１定回転制御または第２定回転制御の再開と、再開する第１定回転制御または第２定回転制御での目標回転数とを運転者に視認させることができる。
【０１０７】
なお、フットアクセル制御への移行後のエンジン回転数はタコメータによって視認することができる。
【０１０８】
エンジン回転数制御手段３６は、第１定回転制御の実行中に上限回転数が第１記憶回転数よりも低くなると、第１定回転制御に優先して上限回転制御を実行するとともに、表示制御手段２１Ｂに表示情報を送信し、液晶表示部３０において、第１記憶回転数（ここでは「１８００」）に代えて上限回転数（ここでは「１７００」を例示してある）を連続表示させ、第１識別記号４０を、第１記憶回転数を示すもの（ここでは「Ａ」）から上限回転数を示すもの（ここでは「Ｌ」を例示してある）に変更させ、第２識別記号４１を、第１定回転制御または第２定回転制御の実行を示すもの（ここでは「ＡＵＴＯ」）から上限回転制御の優先実行を示すもの（ここでは「↑ＡＵＴＯ」を例示してある）に変更させる〔図３の（Ａ）および（Ｈ）参照〕。
【０１０９】
この上限回転制御の優先実行中に上限回転数が第１記憶回転数よりも高くなると、上限回転制御を終了して第１定回転制御を再開するとともに、表示制御手段２１Ｂに表示情報を送信し、液晶表示部３０において、上限回転数（ここでは「１７００」）に代えて第１記憶回転数（ここでは「１８００」）を連続表示させ、第１識別記号４０を、上限回転数を示すもの（ここでは「Ｌ」）から第１記憶回転数を示すもの（ここでは「Ａ」）に変更させ、第２識別記号４１を、上限回転制御の優先実行を示すもの（ここでは「↑ＡＵＴＯ」）から第１定回転制御または第２定回転制御の実行を示すもの（ここでは「ＡＵＴＯ」）に変更させる〔図３の（Ｈ）および（Ａ）参照〕。
【０１１０】
また、第２定回転制御の実行中に上限回転数が第２記憶回転数よりも低くなると、第２定回転制御に優先して上限回転制御を実行するとともに、表示制御手段２１Ｂに表示情報を送信し、液晶表示部３０において、第２記憶回転数（ここでは「１０００」）に代えて上限回転数（ここでは「９００」を例示してある）を連続表示させ、第１識別記号４０を、第２記憶回転数を示すもの（ここでは「Ｂ」）から上限回転数を示すもの（ここでは「Ｌ」）に変更させ、第２識別記号４１を、第１定回転制御または第２定回転制御の実行を示すもの（ここでは「ＡＵＴＯ」）から上限回転制御の優先実行を示すもの（ここでは「↑ＡＵＴＯ」）に変更させる〔図３の（Ｂ）および（Ｉ）参照〕。
【０１１１】
この上限回転制御の優先実行中に上限回転数が第２記憶回転数よりも高くなると、上限回転制御を終了して第２定回転制御を再開するとともに、表示制御手段２１Ｂに表示情報を送信し、液晶表示部３０において、上限回転数（ここでは「９００」）に代えて第２記憶回転数（ここでは「１０００」）を連続表示させ、第１識別記号４０を、上限回転数を示すもの（ここでは「Ｌ」）から第２記憶回転数を示すもの（ここでは「Ｂ」）に変更させ、第２識別記号４１を、上限回転制御の優先実行を示すもの（ここでは「↑ＡＵＴＯ」）から第１定回転制御または第２定回転制御の実行を示すもの（ここでは「ＡＵＴＯ」）に変更させる〔図３の（Ｉ）および（Ｂ）参照〕。
【０１１２】
つまり、第１定回転制御または第２定回転制御の実行中における上限設定器３５の操作により第１定回転制御または第２定回転制御から上限回転制御に移行する場合には、液晶表示部３０において、上限回転数とそれを示す第１識別記号４０と上限回転制御の優先実行を示す第２識別記号４１とを連続表示することにより、上限回転制御への移行と、そのときのエンジン１の出力回転数とを運転者に視認させることができる。また、上限回転制御の優先実行中における上限設定器３５の操作により第１定回転制御または第２定回転制御を再開する場合には、液晶表示部３０において、第１記憶回転数または第２記憶回転数とそれを示す第１識別記号４０と第１定回転制御または第２定回転制御の実行を示す第２識別記号４１とを連続表示することにより、第１定回転制御または第２定回転制御の再開と、再開する第１定回転制御または第２定回転制御での目標回転数とを運転者に視認させることができる。
【０１１３】
エンジン回転数制御手段３６は、上限回転数が第１記憶回転数よりも低い場合やペダル設定回転数が第１記憶回転数よりも高い場合に第１スイッチ３７が操作されると、その操作に伴って、表示制御手段２１Ｂに表示情報を送信し、液晶表示部３０において、第１記憶回転数（ここでは「１８００」）を間歇表示させ、第１識別記号４０（ここでは「Ａ」）と第２識別記号４１（ここでは「ＡＵＴＯ」）とを連続表示させる〔図３の（Ｊ）参照〕。
【０１１４】
また、上限回転数が第２記憶回転数よりも低い場合やペダル設定回転数が第２記憶回転数よりも高い場合に第２スイッチ３８が操作されると、その操作に伴って、表示制御手段２１Ｂに表示情報を送信し、液晶表示部３０において、第２記憶回転数（ここでは「１０００」）を間歇表示させ、第１識別記号４０（ここでは「Ｂ」）と第２識別記号４１（ここでは「ＡＵＴＯ」）とを連続表示させる〔図３の（Ｋ）参照〕。
【０１１５】
これにより、アクセルペダル３１や上限設定器３５の操作位置に起因して、第１スイッチ３７または第２スイッチ３８の操作にかかわらず、第１定回転制御または第２定回転制御が実行されていないことを運転者に視認させることができる。
【０１１６】
エンジン回転数制御手段３６は、第１定回転制御の実行中に第１スイッチ３７が長押し操作されると、第１定回転制御から第１記憶回転数変更制御に移行するとともに、表示制御手段２１Ｂに表示情報を送信し、液晶表示部３０における第１識別記号４０（ここでは「Ａ」）および第２識別記号４１（ここでは「ＡＵＴＯ」）の表示を連続表示から間歇表示に変更させる〔図３の（Ａ）および（Ｌ）参照〕。
【０１１７】
また、第２定回転制御の実行中に第２スイッチ３８が長押し操作されると、第２定回転制御から第２記憶回転数変更制御に移行するとともに、表示制御手段２１Ｂに表示情報を送信し、液晶表示部３０における第１識別記号４０（ここでは「Ｂ」）および第２識別記号４１（ここでは「ＡＵＴＯ」）の表示を連続表示から間歇表示に変更させる〔図３の（Ｂ）および（Ｍ）参照〕。
【０１１８】
これにより、第１スイッチ３７または第２スイッチ３８の操作により、第１定回転制御または第２定回転制御から第１記憶回転数変更制御または第２記憶回転数変更制御に移行して、第１記憶回転数または第２記憶回転数の設定変更が可能になっていることを運転者に視認させることができる。
【０１１９】
エンジン回転数制御手段３６は、第１記憶回転数変更制御または第２記憶回転数変更制御の実行中に第１スイッチ３７または第２スイッチ３８が操作されると、そのときの操作に基づいて、第１記憶回転数または第２記憶回転数を変更するとともに、表示制御手段２１Ｂに表示情報を送信し、液晶表示部３０において変更後の第１記憶回転数または第２記憶回転数を連続表示させる。
【０１２０】
これにより、第１スイッチ３７または第２スイッチ３８の操作による第１記憶回転数または第２記憶回転数の設定変更を視認しながら行なうことができる。
【０１２１】
エンジン回転数制御手段３６は、搭乗運転部８に配備した表示スイッチ４２が操作されると、表示制御手段２１Ｂに表示情報を送信し、液晶表示部３０での表示を、第１記憶回転数（ここでは「１８００」）と第１識別記号４０（ここでは「Ａ」）と第２識別記号４１（ここでは「ＡＵＴＯ」）とを連続表示する状態と、第２記憶回転数（ここでは「１０００」）と第１識別記号４０（ここでは「Ｂ」）と第２識別記号４１（ここでは「ＡＵＴＯ」）とを連続表示する状態とに、設定時間（例えば１秒）ごとに切り替える。
【０１２２】
なお、各種の制御プログラムやマップデータ、第１記憶回転数、および第２記憶回転数などは、制御装置２１に備えたＥＥＰＲＯＭやフラッシュメモリなどの不揮発性メモリからなる記憶手段２１Ｄに記憶させてある。
【０１２３】
〔別実施形態〕
【０１２４】
〔１〕作業車としては、乗用草刈機、乗用田植機、コンバイン、またはホイールドーザ、などであってもよい。
【０１２５】
〔２〕トラクタに装備する作業装置としては、フロントローダ、溝切り装置、または畦塗り装置、などであってもよい。
【０１２６】
〔３〕エンジン１としては、ディーゼルエンジンであってもよく、また、ガソリンエンジンであってもよい。
【０１２７】
〔４〕制御手段３６を、制御装置２１に備えるようにしてもよく、また、ＥＣＵ１６に備えるようにしてもよい。制御装置２１とＥＣＵ１６とを一体構成するようにしてもよい。
【０１２８】
〔５〕指令手段３７，３８を、第１接点と第２接点とを備えた中立復帰型の単一のスイッチで構成してもよい。
【０１２９】
〔６〕設定手段３７，３８を、第１接点と第２接点とを備えた中立復帰型の単一のスイッチで構成してもよい。
【０１３０】
〔７〕記憶手段２１Ｄに、単一の記憶回転数を記憶するようにしてもよく、また、３種類以上の記憶回転数を記憶するようにしてもよい。なお、記憶手段２１Ｄに単一の記憶回転数を記憶する場合には、単一の指令手段３７を備えるだけでよい。
【０１３１】
〔８〕表示手段３０としては複数のＬＥＤを備えて構成したものであってもよい。
【符号の説明】
【０１３２】
１      エンジン
２１    制御手段
２１Ｄ  記憶手段
３０    表示手段
３１    アクセル操作具
３２    検出手段
３３    アクセル操作具
３４    検出手段
３７    指令手段（設定手段）
３８    指令手段（設定手段）
４０    識別記号
【図１】
0005200173.tif 000002
【図２】
0005200173.tif 000003
【図３】
0005200173.tif 000004